(57)【特許請求の範囲】
【請求項１】
流体の抵抗を受ける袋状の抵抗体と、それぞれの一端が前記抵抗体に接続され、それぞれの他端が浮体に接続可能な２本の張索とを備えるシーアンカーであって、
前記抵抗体が、前記流体が通過する開口部と、該開口部と対向する側に設けられる底部と、該底部から前記開口部の周縁に向けて拡開しながら延びて設けられる側部とを備え、
前記側部が、全体に亘って前記底部から略一定の高さを有する基部と、前記開口部の前記周縁のうち前記開口部の中心に対して互いに対称位置にある２つの端部のそれぞれを頂点にして、前記基部からそれぞれ縮幅しながら延びるテーパー状の２つの延出部とを備え、
前記２本の張索のそれぞれの一端が、前記２つの延出部のそれぞれの端部に接続され、
前記抵抗体は、前記開口部が閉じた状態の側面視において、前記底部から前記２つの延出部のそれぞれの端部までの高さが、前記２つの延出部のそれぞれの端部間の長さよりも小さくなるように形成され、
前記抵抗体は、前記開口部が開いた状態の側面視において、前記２つの延出部のそれぞれの端部を頂点として、前記２つの延出部のそれぞれの端部間の略中央において前記基部側に略弧状に凹んだ形状を呈するシーアンカー。
【請求項２】
前記抵抗体が、前記開口部を閉じた状態の側面視において、略台形状に形成される請求項１記載のシーアンカー。
【請求項３】
前記２本の張索が、前記２つの延出部のうちの一方の端部に一端が接続される第１の張索と、前記２つの延出部のうちの他方の端部に一端が接続される第２の張索とを備え、
前記第２の張索が、前記第１の張索を前記第２の張索に接続する接続部を備え、
前記第１および第２の張索が、前記接続部を介して接続される前記第１の張索の接続位置から前記第１の張索の一端までの長さを調節できるように互いに接続される請求項１または２記載のシーアンカー。
【請求項４】
前記抵抗体が、前記流体中において、前記２つの延出部のうちの一方の端部が鉛直方向上向きの力を受け、前記２つの延出部のうちの他方の端部が鉛直方向下向きの力を受けるように構成される請求項１〜３のいずれか１項に記載のシーアンカー。
【発明の詳細な説明】
【技術分野】
【０００１】
本発明は、流体上に浮かぶ浮体に接続されて使用されるシーアンカーに関する。
【背景技術】
【０００２】
船舶や舟艇などの船艇では、水上の波や風を受けて揺れたり、流されたりするのを抑えるために、たとえば特許文献１に開示されたシーアンカーが用いられる。特許文献１のシーアンカー１００は、図６に示されるように、水の力で開き、水の抵抗で船舶を安定させる傘状の抵抗体１０１と、抵抗体１０１を沈めるための錘１０３と、抵抗体１０１が水の抵抗を享受できるようにするためのブイ１０４とを備えている。シーアンカー１００は、傘状の抵抗体１０１を均等に開かせるために、開口（抵抗体本体周縁）１０２にほぼ等間隔に複数の張索１０５が接続され、複数の張索１０５は、１点に束ねられて、曳き索１０６によって船舶１０８に接続される。さらにシーアンカー１００は、水の抵抗を極力受けずに抵抗体１０１を回収するために、ブイ１０４を介して抵抗体１０１の外側中央部に接続される引き揚げ索１０７を備えている。
【先行技術文献】
【特許文献】
【０００３】
【特許文献１】特開平９−２２６６８１号公報
【発明の概要】
【発明が解決しようとする課題】
【０００４】
特許文献１のシーアンカー１００は、上述したように、複数の張索１０５だけでなく、曳き索１０６や引き揚げ索１０７も含め、非常に多くの索を必要としている。特に、張索１０５は、図６（特許文献１の図２参照）では９本描かれているが、図６の背面側も含めると１６本設けられている計算になる。このように多数の索があることによって、シーアンカー１００を収納する際に索同士が絡み合ってしまうので、次に使用する際に絡まった索を解く必要が生じ、その作業が極めて煩雑となる。特に、このシーアンカー１００を釣り船など小さい船で使用するような場合には、作業スペースが小さいために、作業が極めて困難となり、索を解くだけで多くの時間を費やしてしまう。
【０００５】
このような問題を解消するために、たとえば張索１０５の数を減らして２本にすることも考えられる。しかし、上述したように、特許文献１のシーアンカー１００では、抵抗体１０１を均等に開かせるために張索１０５は複数本あることが必須の要件であり、張索１０５を２本にしてしまうと抵抗体１０１を均等に開かせることができない。具体的には、図７に示されるように、抵抗体１０１には、抵抗体１０１内部の水の抵抗によって開口１０２を均等に押し広げようとする力が働く一方で、開口１０２に接続された２本の張索１０５の張力によって２本の張索１０５が接続された箇所にのみ開口１０２を閉じる方向の力が働くので、その２箇所を結ぶ方向でのみ開口１０２が縮径し、開口１０２が８の字状に潰れてしまう（図７（ｂ））。図６に示されるように開口１０２が均等に開いていれば、抵抗体１０１に向かって流れる水はすべて開口１０２を通じて抵抗体１０１の内部に流れ込み、抵抗体１０１の外側が、抵抗体１０１に向かって流れる水の抵抗を受けることはない。しかし、図７に示されるように開口１０２が８の字状に潰れてしまうと、抵抗体１０１の開口１０２が縮径した外側部分が、抵抗体１０１に向かって流れる水の抵抗を受けることになり（図７（ａ）中、上下の矢印）、この水の抵抗によって抵抗体１０１はさらに開口１０２を閉じる方向に力を受けることになる。結果的に、開口１０２がさらに歪に変形して開口面積が小さくなった抵抗体１０１は、十分な水の抵抗を受けることができず、船舶１０８を安定させることができない。
【０００６】
また、抵抗体１０１を均等に開かせるために、開口１０２の周縁にはじめから円形のフレームを設けるという方法もあるが、このような方法では、円形のフレームが収納の妨げとなって収納性の大幅な低下をもたらすだけでなく、製造コストの増加を招いてしまう。
【０００７】
本発明は、このような問題に鑑みなされたものであって、２本の張索であっても十分な抵抗力を受けることができるシーアンカーを提供することを課題とする。
【課題を解決するための手段】
【０００８】
本発明のシーアンカーは、流体の抵抗を受ける袋状の抵抗体と、それぞれの一端が前記抵抗体に接続され、それぞれの他端が浮体に接続可能な２本の張索とを備えるシーアンカーであって、前記抵抗体が、前記流体が通過する開口部と、該開口部と対向する側に設けられる底部と、該底部から前記開口部の周縁に向けて拡開しながら延びて設けられる側部とを備え、前記側部が、全体に亘って前記底部から略一定の高さを有する基部と、前記開口部の前記周縁のうち前記開口部の中心に対して互いに対称位置にある２つの端部のそれぞれを頂点にして、前記基部からそれぞれ縮幅しながら延びるテーパー状の２つの延出部とを備え、前記２本の張索のそれぞれの一端が、前記２つの延出部のそれぞれの端部に接続されることを特徴とする。
【０００９】
また、前記抵抗体が、前記開口部を閉じた状態の側面視において、略台形状に形成されることが好ましい。
【００１０】
また、前記２本の張索が、前記２つの延出部のうちの一方の端部に一端が接続される第１の張索と、前記２つの延出部のうちの他方の端部に一端が接続される第２の張索とを備え、前記第２の張索が、前記第１の張索を前記第２の張索に接続する接続部を備え、前記第１および第２の張索が、前記接続部を介して接続される前記第１の張索の接続位置から前記第１の張索の一端までの長さを調節できるように互いに接続されることが好ましい。
【００１１】
また、前記抵抗体が、前記流体中において、前記２つの延出部のうちの一方の端部が鉛直方向上向きの力を受け、前記２つの延出部のうちの他方の端部が鉛直方向下向きの力を受けるように構成されることが好ましい。
【発明の効果】
【００１２】
本発明によれば、２本の張索であっても十分な抵抗力を受けることができるシーアンカーを提供することができる。
【図面の簡単な説明】
【００１３】
【図１】本発明のシーアンカーが船艇に接続された状態を模式的に示す図である。
【図２】本発明のシーアンカーの開口部が閉じた状態を模式的に示す図であり、（ａ）はシーアンカーの側面図であり、（ｂ）は抵抗体の正面図である。
【図３】本発明のシーアンカーの開口部が開口した状態を模式的に示す図であり、（ａ）はシーアンカーの側面図であり、（ｂ）は抵抗体の正面図である。
【図４】本発明のシーアンカーの開口部が開口した状態において、抵抗体が受ける力を模式的に示す図であり、（ａ）はシーアンカーの側面図であり、（ｂ）は抵抗体の正面図である。
【図５】本発明のシーアンカーの使用状態を模式的に示す図であり、（ａ）はシーアンカーが船艇に接続されて使用されている状態を示す側面図であり、（ｂ）は（ａ）の状態から第１の張索を船艇側に引いた後の状態を示す側面図であり、（ｃ）は（ｂ）の状態からさらに第１の張索を船艇側に引いた後の状態を示す側面図であり、（ｄ）は（ｃ）の状態からさらに第１の張索を船艇側に引いた後の状態を示す側面図である。
【図６】従来のシーアンカーが船舶に接続された状態を模式的に示す図である。
【図７】従来のシーアンカーの抵抗体に２本の張索が接続されて使用されることを想定した状態を模式的に示す図であり、（ａ）は抵抗体の側面図であり、（ｂ）は抵抗体の正面図である。
【発明を実施するための形態】
【００１４】
以下、添付図面を参照して、本発明のシーアンカーを説明する。
【００１５】
本発明のシーアンカーは、海水、川水、湖水などの流体の上に浮かぶ浮体に接続されて、浮体が揺れたり、流されたりするのを抑える目的で使用される。本発明のシーアンカーが適用される浮体としては、浮力を得て流体上に浮かぶ物体であればいかなるものであってもよいが、たとえば、水の上に浮かぶ船艇や調査用ブイがあげられる。以下、本発明のシーアンカーを、水上の船艇に適用した例をもとに説明する。
【００１６】
本発明のシーアンカー１は、図１に示されるように、浮体である船艇Ｓに接続され、水Ｗ上で船艇Ｓが揺れたり、流されたりするのを抑制する。本発明のシーアンカー１が適用される船艇Ｓとしては、海上、川上、湖上などの水上を、人力、風力などの自然力、エンジンなどの動力などによって移動する乗り物であって、たとえば船舶や舟艇などがあげられる。
【００１７】
シーアンカー１は、図１に示されるように、水Ｗ中に沈められて、水Ｗの抵抗を受ける袋状の抵抗体２と、それぞれの一端が抵抗体２に接続され、それぞれの他端が船艇Ｓに接続可能な２本の張索３、４とを備えている。シーアンカー１は、水Ｗ中で抵抗体２が受ける水Ｗの抵抗力と、水Ｗ上の波や風などを受けた船艇Ｓから２本の張索３、４を介して抵抗体２が受ける引張応力とが均衡するように構成され、それによって船艇Ｓを水Ｗ上でほぼ安定して静止させることができる。
【００１８】
袋状に形成された抵抗体２は、図１に示されるように、水Ｗが通過する開口部２１と、開口部２１と対向する側に設けられる底部２２と、底部２２から開口部２１の周縁２４に向けて拡開しながら延びて設けられる側部２３とを備えている。
【００１９】
開口部２１は、図１に示されるように、船艇Ｓ側に設けられ、船艇Ｓ側を向いて開口している。水Ｗは、開口部２１を通過して抵抗体２内部に流入し、また開口部２１を通過して抵抗体２外部に流出する。
【００２０】
底部２２は、図１〜図３に示されるように、開口部２１と対向する側に設けられ、袋状に形成された抵抗体２の底に位置する部位である。底部２２は、底部２２の接線が開口部２１の中心軸Ｘに対して略垂直になるように配置されており、主に、開口部２１の中心軸Ｘ方向に平行な水Ｗの抵抗力Ｄｘを受ける（図４参照）。底部２２は、本実施形態では、中心軸Ｘに対して略垂直に延びる直線状の部位として示されているが、開口部２１に対向する側に設けられ、抵抗体２の底に位置すれば、その形状が直線状に限定されることはなく、点状や面状など他の形状であっても構わない。
【００２１】
側部２３は、図１に示されるように、底部２２から開口部２１の周縁２４に向けて拡開しながら延びており、図３に示されるように、開口部２１の中心軸Ｘに対して傾斜して設けられている。中心軸Ｘに対して傾斜して設けられる側部２３は、図４（ａ）に示されるように、中心軸Ｘ方向と、中心軸Ｘに対して垂直な方向とに分解される水Ｗの抵抗力Ｄｘ、Ｄｙを受ける。側部２３が受ける中心軸Ｘ方向の抵抗力Ｄｘは、上述した底部２２が受ける抵抗力Ｄｘとともに、張索３、４を介して船艇Ｓから受ける引張応力のうち中心軸Ｘ方向の分力Ｔｘに対抗する。一方、側部２３が受ける中心軸Ｘ方向に対して垂直な方向の抵抗力Ｄｙは、開口部２１を開口させると同時に、張索３、４を介して船艇Ｓから受ける引張応力のうち中心軸Ｘに対して垂直な方向の分力Ｔｙに対抗する。
【００２２】
また、側部２３は、図１および図３に示されるように、開口部２１が開口した状態において、全体に亘って底部２２から中心軸Ｘ方向に略一定の高さを有する基部２３ａと、開口部２１の周縁２４のうち開口部２１の中心に対して互いに対称位置にある２つの端部のそれぞれを頂点にして、基部２３ａからそれぞれ縮幅しながら延びるテーパー状の２つの延出部２３ｂとを備えている。なお、図１および図３中、基部２３ａと延出部２３ｂとの境界をわかりやすくするために２点鎖線で示している。側部２３は、基部２３ａから延びる延出部２３ｂを備えることで、その全周のうち延出部２３ｂが設けられた周部分において、他の周部分と比べて、延出部２３ｂの分だけ水Ｗの抵抗を受ける面積が大きくなり、より大きな水Ｗの抵抗を受ける。以下に詳しく述べるが、より大きな水Ｗの抵抗を受けるこの周部分に２本の張索３、４が接続されることによって、抵抗体２は、船艇Ｓを水Ｗ上でほぼ安定して静止させるのに十分な水Ｗの抵抗を受けることができる。なお、側部２３は、本実施形態では、開口部２１が開口した状態でのみ延出部２３ｂを備えるように構成されているが、開口部２１が開口した状態で延出部２３ｂを備えていればよいので、開口部２１が閉じた状態でも延出部２３ｂを備えるように構成されていても構わない。
【００２３】
上述した側部２３を形成するために、抵抗体２は、図２に示されるように、平面状の２枚の布またはシートが、開口部２１の周縁２４に対応する部分を除く外周部分で接合されて作製される。本実施形態では、抵抗体２は、略台形状の２枚の布またはシートが接合されて、開口部２１を閉じた状態の側面視において、略台形状に形成される。ここで、抵抗体２は、開口部２１が開口した状態において延出部２３ｂを備えるように構成されていれば、開口部２１を閉じた状態の側面視の形状は特に限定されることはなく、たとえば側面視が略三角形や略半円など他の形状に形成されても構わない。ただし、抵抗体２は、側面視が略台形状に形成されることにより、側面視が、中心軸Ｘ方向における高さが略台形状と同じ略三角形状や略半円形状の場合と比べて、基部２３ａの深い領域が増えるので、抵抗体２が全体的に広がる方向により大きな力を受けることになり、側面視の面積が大きい分だけ図３（ｂ）中における上下左右の揺動がより抑えられる。なお、上述した側面視とは、開口部２１の中心軸Ｘと、２つの延出部２３ｂのそれぞれの端部を結ぶ直線との両方に垂直な方向から抵抗体２を見た状態をいう。
【００２４】
抵抗体２の大きさや材質は、船艇Ｓ（浮体）が揺れたり、流されたりするのを抑えるように抵抗体２が水Ｗの抵抗を受けることができれば、いかなる大きさや材質であってもよく、特に限定されることはない。その大きさは、たとえば水Ｗ上に浮かぶ船艇Ｓ（浮体）の大きさや重量に対して必要な抵抗力に応じて設定することができる。また、その材質は、たとえばポリ塩化ビニルなどの公知の合成樹脂を採用することができる。抵抗体２の製造方法もまた、上述した抵抗体２の構成を得ることができれば、上記方法に限定されることはなく、たとえば１枚の布またはシートから作製したり、平面状でない湾曲した布またはシートから作製したりするなど、他の方法を採用しても構わない。
【００２５】
２本の張索３、４は、図１および図３に示されるように、それぞれの一端が、２つの延出部２３ｂのそれぞれの端部に接続されている。そして、２本の張索３、４は、それぞれの他端が船艇Ｓに接続されることによって、船艇Ｓによる引張応力を抵抗体２に伝達する。２本の張索３、４は、図４（ａ）に示されるように、伝達される引張応力から、中心軸Ｘに平行に船艇Ｓ側を向く分力Ｔｘと、中心軸Ｘに垂直に抵抗体２の内部側を向く分力Ｔｙとを生じさせるように、抵抗体２に接続されている。２本の張索３、４のそれぞれの一端が２つの延出部２３ｂのそれぞれの端部に接続されることによって、側部２３の全周のうち延出部２３ｂの設けられた周部分が、船艇Ｓによる引張応力を集中して受けることになる。その一方で、側部２３の全周のうち延出部２３ｂが設けられた周部分は、上述したように、他の周部分と比べてより大きな水Ｗの抵抗力を受ける。したがって、延出部２３ｂが設けられた周部分において、より大きな水Ｗの抵抗力が、集中する船艇Ｓの引張応力に対抗することができる。特に、２本の張索３、４を介して受ける引張応力のうち中心軸Ｘに対して垂直な方向の分力Ｔｙに対して、中心軸Ｘ方向に対して垂直な方向の水Ｗの抵抗力Ｄｙが抗することにより、開口部２１は、歪に変形することなく開口を維持することができる。したがって、抵抗体２は、上述した従来の抵抗体１０１に２本の張索１０５を接続した場合（図７参照）とは異なり、開口部２１が歪に変形することがないので、張索３、４が２本であっても、船艇Ｓを水Ｗ上でほぼ安定して静止させるのに十分な水Ｗの抵抗を受けることができる。
【００２６】
また、２本の張索３、４は、図１に示されるように、２つの延出部２３ｂのうちの一方の端部に一端が接続される第１の張索３と、２つの延出部２３ｂのうちの他方の端部に一端が接続される第２の張索４とを備えている。そして、第２の張索４が、第１の張索３を第２の張索４に接続する接続部４１を備え、第１および第２の張索３、４は、接続部４１を介して接続される第１の張索３の接続位置から第１の張索３の一端までの長さＬを調節できるように互いに接続される（図５参照）。以下に詳しく述べるが、第１の張索３が、第１の張索３の長さＬを調節できるように第２の張索４に接続されることにより、第１の張索３を操作するだけで、抵抗体２が受ける水Ｗの抵抗力の大きさを容易に調節できるとともに、抵抗体２を容易に回収することができる。なお、上述した接続位置とは、接続部４１によって第２の張索４に接続された、第１の張索３内での位置のことを意味する。
【００２７】
接続部４１としては、本実施形態では、図１〜図３に示されるように、リング４１が用いられ、リング４１は、第２の張索４に結び付けられて取り付けられている。リング４１が第２の張索４に結び付けられて取り付けられることによって、シーアンカー１全体としての部品点数が減って製造コストが下がるだけでなく、結び付ける位置を変更するだけで容易にリング４１の位置を調節することができる。第１および第２の張索３、４のあいだの開き角はリング４１の位置に応じて定まるので、リング４１の位置を調節することで第１および第２の張索３、４のあいだの開き角を容易に調節することができる。第１の張索３は、リング４１に挿通されて、第１の張索３の長さＬを調節できるように第２の張索４に接続される。接続部４１は、本実施形態では、リング４１が用いられているが、第１の張索３の長さＬを調節できるように第１の張索３を第２の張索４に接続することができればリング４１に限定されることはなく、たとえば第２の張索４に沿って取り付けられるパイプや第２の張索４を結んで形成される輪など他の接続機構を用いることもできる。
【００２８】
第１の張索３は、図１〜図３に示されるように、上述した第１の張索３の長さＬが所定長さを超えないように、第１の張索３の接続位置の移動を規制する移動規制部３１を備えている。移動規制部３１は、図５（ａ）に示されるように、長さＬが所定長さと一致するときに、長さＬが所定長さ以上にならないように、第２の張索４の接続部４１に係止される。本実施形態では、移動規制部３１は、図１〜図３に、接続部４１であるリング４１に挿通不能なリング３１として示されている。リング３１は、第１の張索３の一端から所定長さだけ離間した位置に設けられ、長さＬが所定長さと一致するときに、長さＬが所定長さ以上にならないように、リング４１に係止される。このように、第１の張索３が移動規制部３１を備えることにより、第１の張索３の長さＬが所定長さ以上になることがなく、抵抗体２が所定の傾き以上に傾くことを抑制することができるので、抵抗体２は安定して水Ｗの抵抗を受けることができる。また、リング３１がリング４１に係止された状態では、第１の張索３の長さＬが所定長さ以上になることがないので、第１の張索３の他端は船艇Ｓに必ずしも固定接続されている必要はなく、船艇Ｓに移動可能に接続することができる。移動規制部３１は、本実施形態では、リングが用いられているが、接続部４１に係止されればリングに限定されることはなく、たとえば第１の張索３に設けられたロッドや第１の張索３を結んで形成される結びこぶなど他の部材を用いることもできる。
【００２９】
２本の張索３、４は、抵抗体２が受ける水Ｗの抵抗力や船艇Ｓによる引張応力によって損傷しない程度の強度を有するものであればいかなるものであってもよく、たとえばポリエステル系やポリエチレン系などの合成樹脂で作製された公知のロープを用いることができる。また、その長さや太さも、特に限定されることはなく、張索３、４に接続される抵抗体２や適用される船艇Ｓ（浮体）に応じて設定することができる。
【００３０】
本発明のシーアンカー１では、図１に示されるように、抵抗体２が、水Ｗ中において、２つの延出部２３ｂのうちの一方の端部が鉛直方向上向きの力を受け、２つの延出部２３ｂのうちの他方の端部が鉛直方向下向きの力を受けるように構成されている。より詳細には、本実施形態では、２つの延出部２３ｂのうちの一方の端部に浮き５が取り付けられ、２つの延出部２３ｂのうちの他方の端部に錘６が取り付けられている。浮き５は、水Ｗ中において抵抗体２の一方の延出部２３ｂの端部に鉛直方向上向きの力を加え、錘６は、水Ｗ中において抵抗体２の他方の延出部２３ｂの端部に鉛直方向下向きの力を加える。浮き５および錘６が取り付けられた抵抗体２が水Ｗ中に投入されるとすぐに、浮き５および錘６により開口部２１の周縁２４が鉛直方向両側に引っ張られることによって、抵抗体２の位置が素早く安定するので、開口部２１を素早く開口させることができる。また、開口部２１が開口した後に抵抗体２が水Ｗの抵抗を受けても、浮き５および錘６により抵抗体２が鉛直方向両側に引っ張られるので、抵抗体２は回転することがなく、水Ｗの抵抗を安定して受け続けることができる。浮き５および錘６はそれぞれ、水Ｗ中において抵抗体２に鉛直方向上下向きの力を加えることができればいかなるものであってもよく、公知の浮きおよび錘を用いることができる。また、その大きさや重量は、抵抗体２の大きさや重量に応じて設定することができる。また、浮き５は、本実施形態では２つの延出部２３ｂの一方の端部に取付けられているが、水Ｗ中において抵抗体２の一方の延出部２３ｂの端部に鉛直方向上向きの力を加えることができればこの実施形態に限定されることはなく、たとえば第１の張索３に取り付けられても構わない。また、錘６は、本実施形態では２つの延出部２３ｂの他方の端部に取付けられているが、水Ｗ中において抵抗体２の一方の延出部２３ｂの端部に鉛直方向下向きの力を加えることができればこの実施形態に限定されることはなく、たとえば第２の張索４に取り付けられても構わない。さらに、抵抗体２は、２つの延出部２３ｂのうちの他方の端部が鉛直方向下向きの力を受けるように構成されていればよいので、錘６を取り付けるかわりに、抵抗体２および／または第２の張索４を水Ｗ中に沈む素材で形成しても構わない。
【００３１】
以下、図５を用いて、本発明のシーアンカー１の作用・効果を説明する。
【００３２】
シーアンカー１は、図５（ａ）に示されるように、抵抗体２が水Ｗ中に投入されると浮き５および錘６により開口部２１が素早く開口し、抵抗体２が十分な水Ｗの抵抗を受けることによって、船艇Ｓをほぼ安定して静止させることができる。このとき、第１の張索３の移動規制部３１によって第１の張索３の移動が規制され、浮き５および錘６により抵抗体２が鉛直方向両側から引っ張られているので、抵抗体２の回転が抑制され、抵抗体２は安定して水Ｗの抵抗を受け続けることができる。なお、図５（ａ）に示された状態では、開口部２１は、水平からわずかに水Ｗ上側に向いて傾いているが、抵抗体２は、この傾きによって水Ｗの抵抗から鉛直方向下向きの力が加えられるので、水Ｗ上への浮上が抑えられ、安定して水Ｗ中に位置することができる。
【００３３】
つぎに、第１の張索３を船艇Ｓ側に引っ張ると、図５（ｂ）に示されるように、抵抗体２が図５（ｂ）中右回りに回転して開口部２１が水平方向を向く。この状態では、抵抗体２が受ける水平方向の水Ｗの抵抗力が最大となる。
【００３４】
さらに、第１の張索３を船艇Ｓ側に引っ張ると、図５（ｃ）に示されるように、抵抗体２の受ける水Ｗの抵抗力が大きいために、この抵抗力に抗して抵抗体２が回転することはなく、そのかわりに抵抗体２の上部側が水Ｗ上に引き出される。この状態では、抵抗体２の一部だけが水Ｗ中に沈んだ状態となるので、抵抗体２は、水Ｗの抵抗を受ける領域が小さくなるので、受ける水Ｗの抵抗が小さくなる。このように、第１の張索３を操作するだけで、抵抗体２が受ける水Ｗの抵抗力の大きさを容易に調節することができる。
【００３５】
さらに、第１の張索３を船艇Ｓ側に引っ張ると、図５（ｄ）に示されるように、抵抗体２の全部が水Ｗ上に引き出される。この状態では、抵抗体２が水Ｗの抵抗を受けることがなくなるので、容易に抵抗体２を回収することができる。このように、第１の張索３を操作するだけで、抵抗体２を容易に回収することができる。
【００３６】
以上に示したように、第１および第２の張索３、４が、第１の張索３の長さＬを調節できるように互いに接続されることによって、２本の張索３、４以外に他の索を必要とすることなく、第１の張索３を操作するだけで、抵抗体２が水Ｗから受ける抵抗力を容易に調節することができるとともに、抵抗体２を容易に回収することができる。
【符号の説明】
【００３７】
１  シーアンカー
２  抵抗体
２１  開口部
２２  底部
２３  側部
２３ａ  基部
２３ｂ  延出部
２４  周縁
３  第１の張索
３１  移動規制部、リング
４  第２の張索
４１  接続部、リング
５  浮き
６  錘
Ｄｘ  中心軸方向の水の抵抗力
Ｄｙ  中心軸に対して垂直な方向の水の抵抗力
Ｓ  船艇
Ｔｘ  中心軸方向の引張応力
Ｔｙ  中心軸に対して垂直な方向の引張応力
Ｗ  水
Ｘ  中心軸
【要約】
【課題】２本の張索であっても十分な抵抗力を受けることができるシーアンカーを提供することを課題とする。
【解決手段】本発明のシーアンカー１は、流体Ｗの抵抗を受ける袋状の抵抗体２と、それぞれの一端が抵抗体２に接続され、それぞれの他端が浮体Ｓに接続可能な２本の張索３、４とを備え、抵抗体２が、流体Ｗが通過する開口部２１と、開口部２１と対向する側に設けられる底部２２と、底部２２から開口部２１の周縁２４に向けて拡開しながら延びて設けられる側部２３とを備え、側部２３が、全体に亘って底部２２から略一定の高さを有する基部２３ａと、開口部２１の周縁２４のうち開口部２１の中心に対して互いに対称位置にある２つの端部のそれぞれを頂点にして、基部２３ａからそれぞれ縮幅しながら延びるテーパー状の２つの延出部２３ｂとを備え、２本の張索３、４のそれぞれの一端が、２つの延出部２３ｂのそれぞれの端部に接続されることを特徴とする。
【選択図】図１【図１】
0005836445.tif 000002
【図２】
0005836445.tif 000003
【図３】
0005836445.tif 000004
【図４】
0005836445.tif 000005
【図５】
0005836445.tif 000006
【図６】
0005836445.tif 000007
【図７】
0005836445.tif 000008